(57)【要約】【課題】表面形状が凹凸状に形成された素材であっても、破断面及びカエリの発生を好適に防止してプレスを施すことができ、延いては凹凸状の表面形状を有する製品を安価に製造することのできるプレス機及びプレス方法を提供することを課題とする。【解決手段】ダイ３０に形成された貫通孔３１の断面形状に対応してそれぞれ形成され、前記貫通孔３１の両端側に互いに対向して配置される第一パンチ４０及び第二パンチ５０とを用い、前記貫通孔３１の一端側から素材１を加工すべく前記ダイ３０と少なくとも前記第一パンチ４０とを相対変位させた後、前記貫通孔３１の他端側から素材１を加工すべく前記ダイ３０と少なくとも前記第二パンチ５０とを相対変位させる。前記第一パンチ４０及び第二パンチ５０の各パンチ面４１，５１は、前記素材１の表面形状に合わせて前記素材１の凹凸に嵌まり合う凹凸状に形成される。【選択図】図６
2007275925.tif 000002
【特許請求の範囲】
【請求項１】
所定の形状を有する貫通孔が形成されたダイと、前記所定の形状に対応してそれぞれ形成され、前記貫通孔の両端側に互いに対向して配置される第一パンチ及び第二パンチとを備え、前記貫通孔の一端側から素材を加工すべく前記ダイと少なくとも前記第一パンチとを相対変位させた後、前記貫通孔の他端側から素材を加工すべく前記ダイと少なくとも前記第二パンチとを相対変位させるプレス機であって、
表面形状が凹凸状に形成された素材をプレスすべく、前記第一パンチ及び第二パンチの各パンチ面は、前記素材の表面形状に合わせて前記素材の凹凸に嵌まり合う凹凸状に形成されることを特徴とするプレス機。
【請求項２】
前記貫通孔は、両端側に向けて拡開し、プレス方向に対して傾斜する壁面で画定される傾斜部と、各傾斜部の間に設けられ、プレス方向に平行な壁面で画定される中間部とを備えて構成されることを特徴とする請求項１に記載のプレス機。
【請求項３】
前記素材が前記貫通孔の一端側から加工されて前記貫通孔の少なくとも中間部に位置する際に、さらに前記第二パンチが前記素材に圧接し、前記第一パンチ及び第二パンチによって前記素材をプレス方向の両側から圧縮することを特徴とする請求項１又は２に記載のプレス機。
【請求項４】
所定の形状を有する貫通孔が形成されたダイと、前記所定の形状に対応してそれぞれ形成され、前記貫通孔の両端側に互いに対向して配置される第一パンチ及び第二パンチとを用い、前記貫通孔の一端側から素材を加工すべく前記ダイと少なくとも前記第一パンチとを相対変位させた後、前記貫通孔の他端側から素材を加工すべく前記ダイと少なくとも前記第二パンチとを相対変位させるプレス方法であって、
表面形状が凹凸状に形成された素材をプレスすべく、前記第一パンチ及び第二パンチの各パンチ面は、前記素材の表面形状に合わせて前記素材の凹凸に嵌まり合う凹凸状に形成されることを特徴とするプレス方法。
【発明の詳細な説明】
【技術分野】
【０００１】
本発明は、プレス機及びプレス方法に関し、より詳しくは、ダイに形成された貫通孔の一端側から素材を加工した後に他端側からも素材を加工するプレス機及びプレス方法に関する。
【背景技術】
【０００２】
従来、破断面を発生させず、シェービングなどの後処理が不必要となる剪断プレスとして、仕上げ抜き、精密打ち抜きやいわゆるファインブランキングプレスなどが周知である。かかるプレスは、ダイとパンチとのクリアランスを極力小さくし（例えば、素材の厚みの１％以下）、また、ダイの刃先部に丸みを持たせることで、破断面を発生させずに加工を行うことができるものである。
【０００３】
ところで、かかるプレスでは、破断面は発生しないものの、プレス方向（ダイ及びパンチの相対変位方向）の後方側にいわゆるカエリが発生してしまうため、このカエリを別途切削加工等を行うことによって取り除く必要がある。
【０００４】
そこで、ダイに形成された貫通孔の一端側から素材を加工した後にさらに他端側からも素材を加工するプレス機及びプレス方法が知られている（例えば、特許文献１）。かかるプレス機及びプレス方法は、プレート状の平坦な素材を所定の輪郭形状を有する製品に加工するものであり、断面が所定の形状を有する貫通孔が形成されたダイと、前記所定の形状に対応してそれぞれ形成され、前記貫通孔の両端側に互いに対向して配置される第一パンチ及び第二パンチとを用いて、前記貫通孔の一端側から素材を加工すべく前記ダイと少なくとも前記第一パンチとを相対変位させた後、前記貫通孔の他端側から素材を加工すべく前記ダイと少なくとも前記第二パンチとを相対変位させるものである。また、プレート状の平坦な素材をプレスするものであるため、前記第一パンチ及び第二パンチの各パンチ面は、平坦に形成される。
【０００５】
かかるプレス機及びプレス方法によれば、破断面の発生を抑え、且つ、カエリの発生を抑えて加工を行うことができ、切削加工等の必要をなくして、工程数を少なくすることができる。
【特許文献１】特開２００４−２７６１１２号公報
【発明の開示】
【発明が解決しようとする課題】
【０００６】
ところで、上記特許文献１に記載のようなプレス機及びプレス方法は、プレート状の平坦な素材を加工する上では優れているものである。しかしながら、例えばモンキーレンチといったような工具など、素材の表面形状が凹凸状に形成されたものである場合には、このようなプレス機及びプレス方法によっては加工を行うことが困難である。
【０００７】
というのは、こういった表面形状が凹凸状を有する製品を製造するに際しては、製品の表面形状に対応させて表面形状が凹凸状に予め形成された素材に対してプレスを行うのであるが、かかる素材に対して上記のような平坦なパンチ面を有するパンチを用いると、平坦なパンチ面を有するパンチと素材とは、素材の表面全体に亘って圧接するのではなく、該素材の表面における突出部分において局所的に圧接することとなる。このため、プレス中に素材が不安定に動くなどといった事態が発生し得る。この場合、上述のとおりダイとパンチとのクリアランスは極力小さく設定されるものであることから、プレス中に素材が動いてしまうと、ダイを破壊したりパンチを破壊したりするといった事態が発生し得る。また、平坦なパンチ面を有するパンチと表面形状が凹凸状に形成された素材とでは、プレス方向と素材の厚み方向とを一致させた状態でプレスを行うことができない場合もある。
【０００８】
そこで、本発明は、表面形状が凹凸状に形成された素材であっても、破断面及びカエリの発生を好適に防止してプレスを施すことができ、延いては凹凸状の表面形状を有する製品を安価に製造することのできるプレス機及びプレス方法を提供することを目的とする。
【課題を解決するための手段】
【０００９】
本発明に係るプレス機は、所定の形状を有する貫通孔が形成されたダイと、前記所定の形状に対応してそれぞれ形成され、前記貫通孔の両端側に互いに対向して配置される第一パンチ及び第二パンチとを備え、前記貫通孔の一端側から素材を加工すべく前記ダイと少なくとも前記第一パンチとを相対変位させた後、前記貫通孔の他端側から素材を加工すべく前記ダイと少なくとも前記第二パンチとを相対変位させるプレス機であって、表面形状が凹凸状に形成された素材をプレスすべく、前記第一パンチ及び第二パンチの各パンチ面は、前記素材の表面形状に合わせて前記素材の凹凸に嵌まり合う凹凸状に形成されることを特徴とする。
【００１０】
また、本発明に係るプレス方法は、所定の形状を有する貫通孔が形成されたダイと、前記所定の形状に対応してそれぞれ形成され、前記貫通孔の両端側に互いに対向して配置される第一パンチ及び第二パンチとを用い、前記貫通孔の一端側から素材を加工すべく前記ダイと少なくとも前記第一パンチとを相対変位させた後、前記貫通孔の他端側から素材を加工すべく前記ダイと少なくとも前記第二パンチとを相対変位させるプレス方法であって、表面形状が凹凸状に形成された素材をプレスすべく、前記第一パンチ及び第二パンチの各パンチ面は、前記素材の表面形状に合わせて前記素材の凹凸に嵌まり合う凹凸状に形成されることを特徴とする。
【００１１】
上記構成からなるプレス機及びプレス方法によれば、前記各パンチのパンチ面がそれぞれ凹凸状に形成された素材の表面に対して密接することができるため、前記各パンチと素材とが相対的に動かない安定した状態とすることができ、また、プレス方向と素材の厚み方向とを平行な状態とすることができる。
【００１２】
また、前記貫通孔は、両端側に向けて拡開し、プレス方向に対して傾斜する壁面で画定される傾斜部と、各傾斜部の間に設けられ、プレス方向に平行な壁面で画定される中間部とを備えて構成されるものであることが好ましい。
【００１３】
このようにすれば、前記貫通孔の一端側から加工を行う第一段階では、プレス方向に沿う素材の端面が貫通孔の壁面によってバニシングされるとともに、プレス方向後方側にカエリが発生する。この際、他端側の傾斜部に位置する素材は、傾斜部に比べて小さい断面積を有する中間部に位置していたときよりも膨張した状態となっている。これに続いて、前記貫通孔の他端側から加工を行う第二段階では、前記第一段階で発生したカエリが貫通孔の壁面に当接して逆方向に押し返されつつ素材の端面に積層される。このため、最終的にカエリが発生するのをより効果的に防止できる。
【００１４】
さらに、前記素材が前記貫通孔の一端側から加工されて前記貫通孔の少なくとも中間部に位置する際に、さらに前記第二パンチが前記素材に圧接し、前記第一パンチ及び第二パンチによって前記素材をプレス方向の両側から圧縮することが好ましい。
【００１５】
このようにすれば、中間部に位置する素材は、第一パンチ及び第二パンチの各パンチ面と中間部を画定する壁面とで包囲される状態となり、各パンチによって中間部を画定する壁面に押し付けられつつ擦られるため、端面のバニシングを良好に行うことができる。
【発明の効果】
【００１６】
以上のように、本発明によれば、表面形状が凹凸状に形成された素材であっても、破断面及びカエリの発生を好適に防止してプレスを施すことができ、延いては凹凸状の表面形状を有する製品を、工程数を少なく抑えて安価に製造することができる。
【発明を実施するための最良の形態】
【００１７】
以下に、本発明に係るプレス機及びプレス方法の一実施形態について説明する。
【００１８】
本発明に係るプレス機及びプレス方法は、例えばモンキーレンチ等のように、凹凸状の表面形状を有する製品を製造するのに好適なものであり、表面形状が目的とする製品の凹凸状の表面形状に対応させて同様な凹凸状に予め形成された図１に示すような素材１をプレスするものである。具体的には、該凹凸は、素材１若しくは製品の厚み方向に沿って突出する若しくは窪むように設けられる。このような素材１は、例えば丸棒形状を有する原素材を熱間鍛造プレスすることなどにより予め作製される。該素材１は、周囲にばり２を有するものであり、本実施形態に係るプレス機及びプレス方法は、前記ばり２を除去しつつ、該素材１のプレス方向に沿う端面に対して破断面やカエリが発生しないようにプレスを行うものである。
【００１９】
また、前記素材１は、複数個の製品が一組の状態となっている。従って、前記素材１は、前記ばり２を除去する工程の他にも各製品に分離する工程などの複数の工程を経て完成した製品とされるものであり、本発明に係るプレス機及びプレス方法は、各工程において利用可能なものであるが、以下では、前記ばり２を除去する第一の工程を行う場合における実施形態について説明する。
【００２０】
本実施形態に係るプレス機は、図２に示すように、一対のダイアセンブリ１０，２０（上部ダイアセンブリ１０及び下部ダイアセンブリ２０）を備えて構成される。また、該プレス機は、プレス方向の直交方向に沿う断面が所定の形状を有する素材加工用の貫通孔３１が形成されたダイ３０と、前記所定の形状に対応してそれぞれ形成され、前記貫通孔３１の両端側に互いに対向して配置される一対のパンチ４０，５０（第一パンチ４０及び第二パンチ５０）とを備える。前記第一パンチ４０は、前記貫通孔３１の一端側から加工を行うべく前記ダイ３０と相対変位するものであり、前記第二パンチ５０は、前記貫通孔３１の他端側から加工を行うべく前記ダイ３０と相対変位するものである。前記ダイ３０及び各パンチ４０，５０における前記所定形状は、製品の輪郭形状に対応して設定される。そして、各パンチ４０，５０は、それぞれダイ３０に対して相対変位可能に設けられる。さらに、前記第一パンチ４０及び第二パンチ５０の各パンチ面４１，５１は、前記素材１の表面形状に対応させていわば型彫りがなされている。
【００２１】
具体的には、前記第一パンチ４０は、前記下部ダイアセンブリ２０に備えられ、前記ダイ３０及び第二パンチ５０は、前記上部ダイアセンブリ１０に備えられる。前記第一パンチ４０は、プレス機に対して固定状態で設けられ、前記ダイ３０が上下動することで、該ダイ３０と相対変位することとなる。一方、前記第二パンチ５０は、前記ダイ３０に対して独立に上下動可能であり、これによって該ダイ３０と相対変位することとなる。
【００２２】
また、前記下部ダイアセンブリ２０には、さらに、ストリッパー６０が備えられる。該ストリッパー６０は、前記第一パンチ４０に外嵌された状態で該第一パンチ４０に対して相対変位可能に設けられ、前記ダイ３０が降下して来ると前記ばり２を介してダイ３０に押し下げられることで、前記素材１をばり２と分離するものである。ストリッパー６０としては、好ましくは、降下した状態を維持可能な油圧式のものが用いられる。
【００２３】
前記各パンチ４０，５０は、図４、図５に示すように、前記貫通孔の形状に合わせるべく、複数個の製品が一組となって構成される外周形状に対応して形成され、該外周形状に対して前記ダイ３０とのクリアランスの分小さく形成される。また、前記各パンチ面４１，５１は、具体的には、前記素材１の表面形状に合わせて前記素材１の凹凸に嵌まり合う凹凸状に形成され、素材１とパンチ４０，５０とが密接可能となっている。そして、前記各パンチ面４１，５１の凹凸は、前記プレス方向に沿って突出する若しくは窪むように形成される。これにより、かかるパンチ４０，５０と前記素材１とは、プレス方向と素材１の厚み方向とが一致する状態で当接可能である。
【００２４】
また、前記各パンチ４０，５０は、図４（Ｂ），図５（Ｂ）に示すように、パンチ４０，５０の厚み方向に平行な端面を有する先端部を前記厚み方向の所定長さに亘ってパンチ面４１，５１近傍に備えるとともに、前記厚み方向に対して傾斜する基端部を基端側にかけて備える。即ち、前記パンチ面４１，５１から厚み方向に沿う所定長さに亘っては、外周形状が一定の大きさに設定され、前記所定長さ位置から基端側にかけては、外周形状が前記パンチ面４１，５１近傍の先端部よりも小さく設定される。これにより、前記パンチ面４１，５１近傍の先端部においては、ダイ３０との間に十分小さなクリアランスを確保するとともに、前記基端部では、パンチ４０，５０が貫通孔３１の壁面から逃げるようにすることが可能となる。
【００２５】
前記ダイ３０の貫通孔３１は、図３（Ａ）に示すように、プレス方向に直交する断面形状が、複数個の製品が一組となって構成される外周形状に対応して形成され、具体的には、該外周形状とほぼ同一の大きさに形成される。また、前記貫通孔３１は、図３（Ｂ）に示すように、両端側に向けて拡開し、プレス方向に対して傾斜する壁面３２ａ，３３ａで画定される傾斜部３２，３３と、各傾斜部３２，３３の間に設けられ、プレス方向に平行な壁面３４ａで画定される中間部３４とを備えて構成される。具体的には、一端側の傾斜部３２は、傾斜角度αがプレス方向に対して約１０°に設定され、他端側の傾斜部３３は、傾斜角度βがプレス方向に対して約１°に設定される。そして、前記中間部３４は、前記一端側の傾斜部３２とプレス方向寸法が同等に設定され、前記他端側の傾斜部３３は、前記一端側の傾斜部３２及び中間部３４に比べてプレス方向寸法が大きく設定される。
【００２６】
なお、前記貫通孔３１の中間部３４におけるダイ３０と各パンチ４０，５０との上記クリアランスは、約０．０３ｍｍに設定され、素材１の厚みに対する割合で表わすと、約０．００３％程度に設定される。
【００２７】
ところで、前記第二パンチ５０は、ダイ３０から素材を押し出すいわゆるノックアウトとしても機能する。即ち、第二パンチ５０は、少なくとも前記貫通孔３１の一端側の傾斜部３２に臨む位置に進出可能に構成され、好ましくは、前記貫通孔３１の中間部３４と一端側の傾斜部３２との境界よりも下方に突出可能に構成される。これにより、素材１は、上死点近傍においてダイ３０から押し出される態様となる。具体的には、本実施形態に係るプレス機は、機械式のノックアウト装置を備えたいわゆる機械式プレス機と呼ばれるものであり、ダイ３０が上死点まで上昇した際に、第二パンチ５０に取り付けられたラムがノックアウト装置に備えられたノックアウトバーに突き当たることで上昇不能となり、上述のような第二パンチ５０のダイ３０に対する相対変位やノックアウトが実現される。
【００２８】
次に、上記構成からなるプレス機を用いて素材をプレスする動作及び方法について説明する。
【００２９】
プレス開始時点では、前記ストリッパー６０が第一パンチ４０のパンチ面４１と同等高さとなっており、前記素材１を第一パンチ４０及びストリッパー６０に跨るように載置する（図６（Ａ））。この状態から、まず、貫通孔３１の一端側から素材１を加工する第一段階が開始され、ダイ３０及び第二パンチ５０を第一パンチ４０側に降下させる。そして、剪断に際しては、ダイ３０の貫通孔３１の中に素材１が一端側から入り込み、ダイ３０の貫通孔３１の周縁部が素材１の周囲のばり２に圧接する（図６（Ｂ））。ばり２は、貫通孔３１の周縁部とストリッパー６０とに挟み込まれつつダイ３０の降下に従ってストリッパー６０とともに降下する一方、素材１は第一パンチ４０に圧接し、これによって素材１とばり２とが分離される（図６（Ｃ））。
【００３０】
ダイ３０は、さらに降下を続け、素材１が貫通孔３１の中間部３４に位置する状態となる。このとき、ダイ３０とともに降下してきた第二パンチ５０が素材１に圧接し、該素材１は、前記第一パンチ４０及び第二パンチ５０によってプレス方向の両側から圧縮される状態となる。即ち、素材１は、第一パンチ４０及び第二パンチ５０の各パンチ面４１，５１と中間部３４を画定する壁面３４ａとで包囲される状態となり、各パンチ４０，５０によって中間部３４を画定する壁面３４ａに押し付けられつつ擦られるため、端面のバニシングを良好に行うことができる。ダイ３０がそこからさらに降下すると、素材１が前記他端側の傾斜部３３に位置する状態となり、前記第一段階が終了する。
【００３１】
このとき、前記素材１は、中間部３４よりも断面が大きく形成された他端側の傾斜部３３に存在することで、中間部３４に位置した際よりもわずかに膨張しており、他端側の傾斜部３３の壁面３３ａに当接して引っ掛かる状態（若しくは、他端側の傾斜部３３に保持される状態）となっている。
【００３２】
次に、前記貫通孔３１の他端側から加工を行う第二段階に移行する。ダイ３０は素材１を他端側の傾斜部３３に位置させた状態で第二パンチ５０とともに上昇を開始する（図６（Ｄ））。なお、ダイ３０の上昇に伴って、ストリッパー６０が分離されたばり２を押し上げるため、適当なタイミングでばり２を取り除く。やがて、第二パンチ５０が上死点近傍まで上昇すると、該第二パンチ５０はノックアウトバーに突き当たり上昇不能となる（即ち、ダイ３０の上昇中において停止した状態となる）一方、ダイ３０はさらに上昇を続ける。このため、前記素材１は第二パンチ５０から押される状態となり、素材１は、第一段階とは逆方向に、前記他端側の傾斜部３３から中間部３４を経て一端側の傾斜部３２に押し戻され、ノックアウトが行われる（図６（Ｅ））。そして、中間部３４においては、前記第一段階で発生したカエリが壁面３４ａに当接して逆方向に押し返されつつ素材の端面に積層される。このため、最終的にカエリが発生するのをより効果的に防止できる。
【００３３】
なお、上述のとおり、本実施形態に係るプレス機及びプレス方法は、前記ばり２を除去する第一の工程を行うものであり、素材１は、複数の工程を経て完成品とされるものである。ここで、第一の工程以降の工程について説明すると、第二の工程において、いわゆるつぶしと呼ばれる圧縮が施される。第三の工程において、一体となっていた各製品が切り離されるとともに、ウォームが収容される窓と柄の後端部に形成される穴（一般に「尻穴」と呼ばれる）とが形成される。さらに、第四の工程において、完成品と略同一の形状となった素材に対して本発明に係るプレスを再度施し、最終的な仕上げを行う。第四の工程におけるダイ及びパンチの所定形状は、製品の輪郭形状に対応して設定される。
【００３４】
以上のように、本実施形態に係るプレス機及びプレス方法によれば、表面形状が凹凸状に形成された素材であっても、破断面及びカエリを発生させることのないプレスを施すことができ、延いては凹凸状の表面形状を有する製品を、工程数を少なく抑えて安価に製造することができる。
【００３５】
なお、本発明に係るは、上記実施形態に限定されるものではなく、本発明の要旨を逸脱しない範囲で種々の変更が可能である。
【００３６】
例えば、上記実施形態においては、凹凸状の表面形状を有する製品として、モンキーレンチを例に挙げたが、これに限定されるものではなく、本発明のプレス機及びプレス方法は、スパナ等の他の工具や、工具以外のものに対しても適用することができる。
【００３７】
また、上記実施形態においては、複数個の製品が一組となって素材１が構成されるものとして説明したが、これに限定されるものではなく、一製品単位で素材が構成されるものであってもよい。そして、上記実施形態においては、素材１が複数の工程を経て完成品に加工されるものとして説明したが、これに限定されるものではなく、本発明に係るプレスを一度のみ施すことにより、製品を製造するものであってもよい。
【００３８】
さらに、上記実施形態に係るプレス機は、機械式のノックアウト装置を備えたいわゆる機械式プレス機であるとして説明したが、これに限定されるものではなく、油圧式のノックアウト装置を備えたものであってもよい。油圧式のノックアウト装置を採用すれば、第二パンチ５０を油圧制御することにより、前記第一段階において第一パンチ４０近傍まで降下した第二パンチ５０が依然として第一パンチ４０の近傍にある状態で、引き続き第二段階において前記貫通孔３１の他端側からの加工及びノックアウトを行うことが可能となる。また、油圧式のノックアウト装置を採用する場合には、該油圧式のノックアウトとストリッパーとを連動させることが好ましい。
【００３９】
しかも、油圧式のノックアウト装置を採用すれば、第二段階において、前記素材が前記貫通孔３１の他端側から加工されて前記貫通孔３１の少なくとも中間部３４に位置する際に、第二パンチ５０が素材１に圧接し、第一段階と同様に、前記第一パンチ４０及び第二パンチ５０によって前記素材１をプレス方向の両側から圧縮する状態でプレスを行うことも可能となる。
【００４０】
また、上記実施形態においては、油圧式のストリッパー６０が用いられるものとして説明したが、スプリング式やエアー式のものであってもよい。この場合には、加工後素材１が再度ばり２の中に入り込み得るため、これらを分離する作業を要し得る。
【００４１】
そして、上記実施形態においては、第一パンチ４０がプレス機に対して固定状態で設けられるものであるとして説明したが、これに限定されるものではなく、前記第一パンチ４０が可動に設けられるものであってもよい。
【００４２】
さらに、前記一端側の傾斜部３２及び他端側の傾斜部３３は、傾斜角度α及びβがプレス方向に対してそれぞれ約１０°及び約１°に設定されるものとして説明したが、かかる角度に限定されるものではない。ただし、４５°より大きいと、加工中に素材１とダイ３０とが噛んでしまうため、４５°以下であることが好ましい。
【図面の簡単な説明】
【００４３】
【図１】本発明の実施形態に係るプレス機及びプレス方法によってプレスが行われる素材を示す図であって、（Ａ）は上面図を示し、（Ｂ）は（Ａ）のＩ−Ｉ線断面図を示す。
【図２】同実施形態に係るプレス機を示す。
【図３】同実施形態に係るプレス機に備えられるダイを示す図であって、（Ａ）は上面図を示し、（Ｂ）は貫通孔の部位の断面図を示す。
【図４】同実施形態に係るプレス機に備えられる第一パンチを示す図であって、（Ａ）は上面図を示し、（Ｂ）は側面図を示す。
【図５】同実施形態に係るプレス機に備えられる第二パンチを示す図であって、（Ａ）は上面図を示し、（Ｂ）は側面図を示す。
【図６】同実施形態に係るプレス方法を説明する図であって、（Ａ），（Ｂ），（Ｃ）は第一段階を示し、（Ｄ），（Ｅ）は第二段階を示す。
【符号の説明】
【００４４】
１…素材、２…ばり、１０…上部ダイアセンブリ、２０…下部ダイアセンブリ、３０…ダイ、３１…貫通孔、３２…傾斜部、３３…傾斜部、３４…中間部、４０…第一パンチ、４１…パンチ面、５０…第二パンチ、５１…パンチ面、６０…ストリッパー
【図１】
2007275925.tif 000003
【図２】
2007275925.tif 000004
【図３】
2007275925.tif 000005
【図４】
2007275925.tif 000006
【図５】
2007275925.tif 000007
【図６】
2007275925.tif 000008